(57)【要約】      （修正有）【課題】本発明は、屈折率に関する温度係数が負の値である正レンズと屈折率に関する温度係数が正の値の負レンズを有する構成において、温度変化に対する光学性能の変化を低減することが可能なレンズ装置および撮像装置を提供する。【解決手段】屈折率に関する温度係数が負の値である正レンズＧ１、正レンズＧｐ、正レンズＧ３及び温度係数が正の値である負レンズＧｎを内側に保持する保持部材１１２と、保持部材１１２の外側に設けられた外装部材１１８と、保持部材１１２と外装部材１１８との間に設けられた断熱部材１２０ｄと、を備えるレンズ装置１において、レンズ装置１の光軸と直交する方向視において、断熱部材１２０ｄが保持部材１１２及び外装部材１１８と接している領域は、正レンズＧ１、正レンズＧｐ、正レンズＧ３が設けられている領域及び負レンズＧｎが設けられている領域とは異なる位置にある、ことを特徴とする。【選択図】図１
2018040988.tif 000002
【特許請求の範囲】
【請求項１】
屈折率に関する温度係数が負の値である正レンズ及び前記温度係数が正の値である負レンズを内側に保持する保持部材と、
前記保持部材の外側に設けられた外装部材と、
前記保持部材と前記外装部材との間に設けられた第１の断熱部材と、を備えるレンズ装置であって、
前記レンズ装置の光軸と直交する方向視において、前記第１の断熱部材が前記保持部材及び前記外装部材と接している領域は、前記正レンズが設けられている領域及び前記負レンズが設けられている領域とは異なる位置にある、
ことを特徴とするレンズ装置。
【請求項２】
前記正レンズと前記負レンズは互いに接合している、
ことを特徴とする請求項１に記載のレンズ装置。
【請求項３】
前記レンズ装置の光軸と直交する方向視での前記正レンズが設けられている領域及び前記負レンズが設けられている領域において、前記保持部材と前記外装部材は空気間隔を隔てて配置されている、
ことを特徴とする請求項１または２に記載のレンズ装置。
【請求項４】
前記第１の断熱部材とは異なる第２の断熱部材をさらに備え、
前記第２の断熱部材は、前記レンズ装置の光軸と直交する方向視での前記正レンズが設けられている領域及び前記負レンズが設けられている領域における前記保持部材と前記外装部材との間に設けられている、
ことを特徴とする請求項１乃至３のいずれか一項に記載のレンズ装置。
【請求項５】
前記保持部材及び前記外装部材は金属製である、
ことを特徴とする請求項１乃至４のいずれか一項に記載のレンズ装置。
【請求項６】
前記第１の断熱部材はシート状の断熱部材であって、前記保持部材と前記外装部材との間に圧入されている、
ことを特徴とする請求項１乃至５のいずれか一項に記載のレンズ装置。
【請求項７】
前記第１の断熱部材は弾性体である、
ことを特徴とする請求項１乃至６のいずれか一項に記載のレンズ装置。
【請求項８】
前記保持部材は前記外装部材と接続するための接続部として、接触する第１の接続部及び第２の接続部とを有し、
前記外装部材は前記保持部材と接続するための接続部として、第３の接続部及び異なる第４の接続部とを有し、
前記レンズ装置の光軸と直交する方向視において、前記第１の接続部及び前記第３の接続部は前記第１の断熱部材に接触しており、
前記レンズ装置の光軸と直交する方向視において、前記第２の接続部と前記第４の接続部は互いに接触している、
ことを特徴とする請求項１乃至７のいずれか一項に記載のレンズ装置。
【請求項９】
請求項１乃至８のいずれか一項に記載のレンズ装置と、
前記レンズ装置からの光を受光する撮像素子を保持するカメラ本体と、を備える、
ことを特徴とする撮像装置。
【発明の詳細な説明】
【技術分野】
【０００１】
本発明は、撮像装置に用いられるレンズ装置に関する。
【背景技術】
【０００２】
レンズ装置には高い光学性能だけではなく、高温下や低温下等の様々な環境下での撮影においても光学性能を維持できることも求められている。このような様々な環境下でも光学性能を維持できるレンズ装置として、特許文献１に記載のレンズ装置が知られている。
【０００３】
特許文献１には、内側に複数のレンズを保持する保持部材と、保持部材の外側を覆う外装部材との間に、モリブデン等の熱伝導率の低い材料からなる筒状の断熱部材を設けたレンズ装置が開示されている。
【先行技術文献】
【特許文献】
【０００４】
【特許文献１】特開平１１−１７４３０４号公報
【発明の概要】
【発明が解決しようとする課題】
【０００５】
ここで、収差補正のために屈折率に関する温度係数が負の値である正レンズと、屈折率に関する温度係数が正の値である負レンズとを組み合わせて用いる場合を考える。この場合に正レンズ及び負レンズの温度が上がると、ペッツバール和が最適な状態から変化してしまって収差が増大して光学性能が変化してしまうおそれがある。
【０００６】
しかしながら、特許文献１には前述の正レンズ及び負レンズは開示されておらず、さらに両レンズを有する構成において周囲の温度変化に対する光学性能の変化を低減するための断熱構造は開示されていない。
【０００７】
本発明は、屈折率に関する温度係数が負の値である正レンズと屈折率に関する温度係数が正の値の負レンズを有する構成において、温度変化に対する光学性能の変化を低減することが可能なレンズ装置および撮像装置を提供することを目的とする。
【課題を解決するための手段】
【０００８】
上記目的を達成するために、本発明のレンズ装置は、
屈折率に関する温度係数が負の値である正レンズ及び前記温度係数が正の値である負レンズを内側に保持する保持部材と、
前記保持部材の外側に設けられた外装部材と、
前記保持部材と前記外装部材との間に設けられた第１の断熱部材と、を備えるレンズ装置であって、
前記レンズ装置の光軸と直交する方向視において、前記第１の断熱部材が前記保持部材及び前記外装部材と接している領域は、前記正レンズが設けられている領域及び前記負レンズが設けられている領域とは異なる位置にある、
ことを特徴とする。
【発明の効果】
【０００９】
本発明によれば、屈折率に関する温度係数が負の値である正レンズと屈折率に関する温度係数が正の値の負レンズを有する構成において、温度変化に対する光学性能の変化を低減することが可能なレンズ装置および撮像装置を提供することが可能となる。
【図面の簡単な説明】
【００１０】
【図１】第１実施例におけるレンズ装置の構造を説明する図
【図２】第２実施例におけるレンズ装置の正面図
【図３】第２実施例におけるレンズ装置のＡ−Ａ断面図
【図４】第２実施例におけるレンズ装置のＢ−Ｂ断面図
【図５】第２実施例における部分拡大図Ｄ
【図６】第２実施例における部分拡大図Ｅ
【図７】第２実施例における部分拡大図Ｆ
【図８】第２実施例におけるレンズ装置のＣ−Ｃ断面図
【図９】第３実施例における撮像装置の構造を説明する図
【発明を実施するための形態】
【００１１】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１２】
〔第１実施例〕
（レンズ装置の構造）
図１を用いて本発明の第１実施例としてのレンズ装置（交換レンズ）１の構造について説明する。
【００１３】
本実施例におけるレンズ装置１は、複数のレンズとして正レンズＧ１、正レンズＧｐ、負レンズＧｎ、正レンズＧ３を少なくとも備えており、図１に示すように正レンズＧｐと負レンズＧｎは互いに接合している。もちろんこれらのレンズ以外のレンズを備えても良く、正レンズＧｐと負レンズＧｎは互いに接合していなくても良い。正レンズＧ１〜正レンズＧ３までを第１レンズユニットとするとき、レンズ装置１は第１レンズユニットを内側で保持する第１群鏡筒１１２（保持部材）と、第１群鏡筒１１２の外側に設けられた保護リング１１３及び外装環１１８を備えている。つまり、レンズ装置１は外装部材と保持部材の２重構造となっている。ここでいう外装部材とは前述の保護リング１１３及び外装環１１８のことをいう。１１４はレンズ装置１の先端を保護する保護ゴムである。
【００１４】
第１群鏡筒１１２と保護リング１１３との間には断熱部材１２０ａが設けられており、第１群鏡筒１１２と外装環１１８との間には断熱部材１２０ｄ（第１の断熱部材）が設けられている。さらに、外装環１１８は断熱部材１２０ｃを介してビス１２１で第１群鏡筒１１２に固定されている。
【００１５】
（レンズ及び断熱部材の位置関係）
次に、各レンズと各断熱部材の位置関係について述べる。正レンズＧｐの屈折率に関する温度係数は負の値であり、負レンズＧｎの屈折率に関する温度係数は正の値である。なお、正レンズＧｐは以下の条件式（１）を満たす。
８０．０＜νｄ
νｄ＝（Ｎｄ−１）／（ＮＦ−ＮＣ）
【００１６】
ただし、Ｎｇ、ＮＦ、ＮＣ、Ｎｄは、それぞれｇ線（波長４３５．８ｎｍ）、Ｆ線（４８６．１ｎｍ）、Ｃ線（６５６．３ｎｍ）、ｄ線（５８７．６ｎｍ）に対する材料の屈折率であり、νｄはアッベ数である。
【００１７】
ここで、例えば真夏の炎天下での長時間撮影等によってレンズ装置１ひいては正レンズＧｐ及び負レンズＧｎの温度が上がった場合を考える。この場合に各レンズの屈折率と焦点距離の積の逆数の合計であるペッツバール和の変化量を考えると、正レンズＧｐにおいても負レンズＧｎにおいても負の値となる屈折率と焦点距離の積はともにより小さくなる。つまり、正レンズＧｐと負レンズＧｎの屈折率と焦点距離の積の逆数の変化が加算関係となる。その結果、ペッツバール和が最適な状態から変化して光学性能が変化してしまうおそれがある。
【００１８】
そこで本実施例においては、レンズ装置１の光軸ＯＡと直交する方向視において、断熱部材１２０ｄが第１群鏡筒１１２及び外装環１１８と接している領域Ａ１２０ｄが、正レンズＧｐが設けられている領域ＡＧｐとは異なる位置に位置するようにしている。領域Ａ１２０ｄは外装環１１８と第１群鏡筒１１２が互いに近付いている領域と言い換えることもできる。
【００１９】
つまり、外装環１１８と第１群鏡筒１１２が互いに近付いている領域においては太陽光などによって暖められた外装環１１８からの熱が第１群鏡筒１１２に伝わりやすい。このため、本実施例においては領域ＡＧｐとは異なる領域で外装環１１８と第１群鏡筒１１２を互いに近付けることで、外装環１１８からの熱を正レンズＧｐへ伝わりにくくしている。
【００２０】
さらに互いに近付いている外装環１１８と第１群鏡筒１１２との間に断熱部材１２０ｄを設けることで、外装環１１８からの熱を正レンズＧｐへより伝わりにくくしている。また、図１に示すように領域Ａ１２０ｄは領域ＡＧｎとも異なる位置に位置しており、これによって外装環１１８からの熱を負レンズＧｎにも伝わりにくくすることが可能となる。
【００２１】
なお、領域ＡＧｎとは光軸ＯＡの光軸と直交する方向視における負レンズＧｎの物体側の面のうち最も物体側の点を含む面と、像側の面のうち最も像側の点を含む面との間の領域である。同様に、領域ＡＧＰとは光軸ＯＡの光軸と直交する方向視における正レンズＧｐの物体側の面のうち最も物体側の点を含む面と、像側の面のうち最も像側の点を含む面との間の領域である。そして、領域Ａ１２０ｄは光軸ＯＡの光軸と直交する方向視における断熱部材１２０ｄの最も物体側の点を含む面と最も像側の点を含む面との間の領域である。
【００２２】
また、図１に示すように領域ＡＧｐと領域ＡＧｎが一部で重なっている場合には、領域Ａ１２０ｄが、領域ＡＧＰの物体側の端から領域ＡＧｎの像側の端までの領域とは異なる位置に位置していればよい。
【００２３】
（本実施例の効果）
このように、本実施例においては、光軸ＯＡと直交する方向視において、断熱部材１２０ｄが第１群鏡筒１１２及び外装環１１８と接している領域Ａ１２０ｄが、領域ＡＧｐ及び領域ＡＧｎとは異なる位置に位置するようにしている。その結果、正レンズＧｐ及び負レンズＧｎを有する構成において、周囲の温度変化に対する光学性能の変化を低減することが可能なレンズ装置を提供することが可能となる。
【００２４】
つまり、本実施例の断熱部材を設けないレンズ装置を屋外で使用すると、太陽エネルギーによる熱が外装部材からレンズを保持する保持部材へと伝達しやすくなってしまう。その結果、保持部材の熱が内部のレンズに伝達し、屈折率の変化によって球面収差等の各種収差が増大してレンズ装置としての光学性能が悪化してしまうおそれがある。これに対して本実施例によれば、外装部材から伝わる熱を断熱部材で内部の鏡筒部品及びレンズに伝わりにくくすることで、鏡筒部品とレンズの熱による変形と、レンズの温度変化による屈折率の変化を抑え、光学性能の劣化を抑制することが可能となる。
【００２５】
また、本実施例のレンズ装置は真夏の炎天下での長時間撮影時以外にも有効である。具体的には、冷却された外装部材を手で触った際、人体からの熱により外装部材が温められ、外装部材と接触しているレンズ押え環やレンズ、さらにレンズ間の空気にも熱が伝達される。レンズの熱伝達率は金属や空気のそれよりも低いため、レンズ表面に温度差が生じ、レンズ表面に曇りが発生し、撮影ができなくなるおそれがある。これに対して、本実施例のレンズ装置であれば、前述の人体からの熱によって暖められた外装部材からの熱が内部のレンズ等に伝わることを抑制することが可能となる。
【００２６】
（より好ましい形態）
次に、前述の効果を高めることが可能なより好ましい形態について説明する。
【００２７】
図１に示すようにレンズ装置１は、断熱部材１２０ｄ以外にも断熱部材１２０ａ及び１２０ｃを備えている。このとき、断熱部材１２０ａが保護リング１１３及び第１群鏡筒１１２に接しており、断熱部材１２０ｃが外装環１１８及び第１群鏡筒１１２に接していても良い。このような構造によって、外装部材から内部の各レンズへの伝熱をより抑制することが可能となる。もちろん断熱部材１２０ａ、１２０ｄ、１２０ｃを全て備えている必要はなく、例えば断熱部材１２０ｄのみを備え、断熱部材１２０ａ及び１２０ｃが設けられていた領域では、外装部材及び第１群鏡筒１１２が互いに接している構成等であっても良い。
【００２８】
また、図１に示すように領域ＡＧｐにおいては外装環１１８と第１群鏡筒１１２とが空気間隔を隔てて設けられている構成が好ましい。この構成によって領域ＡＧｐにおける外装環１１８から第１群鏡筒１１２への伝熱を抑制することが可能となり、前述の光学性能の変化をより抑制することが可能となる。領域ＡＧｎにおいても同様に外装環１１８と第１群鏡筒１１２とが空気間隔を隔てて設けられている構成が好ましい。
【００２９】
〔第２実施例〕
（レンズ装置の構造）
図２から図８を用いて本発明の第２実施例としてのレンズ装置１´の構造について説明する。なお、前述の第１実施例と同様の構造については一部説明を省略する。
【００３０】
図２は、本実施例のレンズ装置１´の正面図であり、図３は本実施例のレンズ装置１´の図２に示すＡ−Ａ断面図であり、図４は図２に示すＢ−Ｂ断面図である。本実施例におけるレンズ装置１´は、被写体側から像側へ順に、固定レンズとしての第１レンズユニット１０１、フォーカスレンズとしての第２レンズユニット１０２、固定レンズとしての第３レンズユニット１０３を備えている。
【００３１】
さらにレンズ装置１´は、防振レンズとしての第４レンズユニット１０４、固定レンズとしての第５レンズユニット１０５、第６レンズユニット１０６を備えている。ここでいう第１レンズユニット１０１とは図３に示すレンズ１０１ａ、１０１ｂ、１０１ｃの総称である。そして、レンズ１０１ｂは、正の屈折力を有するとともに屈折率に関する温度係数が負の値の正レンズと、負の屈折力を有するとともに屈折率に関する温度係数が正の値の負レンズを少なくとも含んでいる。
【００３２】
絞りユニット１０７は第３レンズユニット１０３の前側（被写体側）に配置されており、交換レンズ１内を通過して光束の光量を調節する。なお、上記のレンズユニット１０１〜１０６および絞りユニット１０７は撮影光学系の一部あるいは全体を構成している。
【００３３】
第２レンズユニット１０２は、不図示のアクチュエータ等の駆動源もしくはフォーカス操作環１０８からの駆動力を受けて光軸上を移動して焦点調節を行う。第４レンズユニット１０４は、アクチュエータ等の駆動源を含む防振ユニット１０９からの駆動力を受けて、光軸に対して垂直な平面内で駆動する。なお、本実施例のレンズ装置１´は単一焦点距離の撮影レンズ（交換レンズ）であるが、ズーム機能を有するズームレンズであっても良い。
【００３４】
１１０は第１の外装環であり、前述の第１実施例でも述べた外装環１１８は第２の外装環である。マウント１１１に固定される。１１５は操作リングであり、リングホルダ１１６に対して回転可能に保持される。操作リング１１５は予め定められた回転角のみ回転し、不図示の弾性部材によって前記回転角の中点位置に復帰するよう付勢されている。さらに、不図示の検知スイッチにより操作リング１１５の回転を検知すると、予めセットしておいたフォーカス位置に対して復帰する機能を有する。
【００３５】
１１６はリングホルダであり、第１群鏡筒１１２に対して締結等の方法で固定され、操作リング１１５を回転可能に保持する機能を有する。１１７は第３の外装環であり、第１群鏡筒１１２に対して締結等の方法で固定される。また、少なくとも第１群鏡筒１１２と第２の外装環１１８は部品強度を高めるために金属製であり、第１の外装環１１０及び第３の外装環１１７も金属製であっても良い。特に第１群鏡筒１１２や外装部品である第１の外装環１１０、第２の外装環１１８、第３の外装環１１７などは比重の小さなマグネシウム合金により、部品強度を保ちつつ軽量化されている。
【００３６】
（レンズ及び断熱部材の位置関係）
次に、各レンズと各断熱部材の位置関係について述べる。図４に示すようにレンズ装置１´は断熱部材１２０ａ、１２０ｂ、１２０ｃに加えて前述の第１実施例において述べた断熱部材１２０ｄを備えている。このため本実施例におけるレンズ装置１´も前述の第１実施例におけるレンズ装置１と同様の効果を発揮することが可能である。
【００３７】
断熱部材１２０ａ、１２０ｂ、１２０ｃが設けられている位置について図４に示すＤ〜Ｆの領域を拡大した図５〜図７を用いて説明する。
【００３８】
図５に示すように、保護リング１１３と第１群鏡筒１１２との径方向及び光軸方向の間には断熱部材１２０ａが圧入されており、断熱部材１２０ａが保護リング１１３及び第１群鏡筒１１２に接している。これは前述の第１実施例と同様である。前述の第１実施例及び本実施例における断熱部材はシート状になっており、より詳細には紙状、または不織布のような繊維系の材料の部材であるため断熱性と弾性を有している。このため、外装部材と第１群鏡筒１１２との間に圧入した状態で断熱部材を設けることができる。また、断熱部材が弾性体であるために、外部からレンズ装置内部の各レンズへ伝わる衝撃を低減することが可能となる。
【００３９】
このように、各断熱部材はシート状（紙状あるいは不織布のような材料）であるため、金属材料に比べ熱伝達率が格段に低く、断熱性能が大幅に向上する。さらに、断熱部材は薄く、厚みも均一に作成可能なため、第１群鏡筒１１２と各外装部材との間に配置しても、各外装部材の位置を正確に決めつつ、レンズ装置全体が大型化してしまうことを抑制することが可能となる。
【００４０】
なお、外部からの熱を効果的に断熱するために断熱部材１２０ａはレンズ装置１´の光軸を中心に全周に設けられている。一方、図８に示すように第１群鏡筒１１２と第２の外装環１１８の間に配置された断熱部材１２０ｂは１２０度間隔で３箇所に略等間隔に配置されている。このように、前述の第１実施例及び本実施例における各断熱部材は、全周に設けても良いし、図８に示すように略等間隔で径方向に複数設けても良い。
【００４１】
図６に示すように、第２の外装環１１８と第１群鏡筒１１２との径方向の間には断熱部材１２０ｂが圧入した状態で配置されている。前述の第１実施例においては、正レンズＧｐが設けられている領域ＡＧｐにおいて第２の外装環１１８と第１群鏡筒１１２とが空気間隔を隔てて設けられていた。これに対して本実施例においては正レンズＧｐが設けられている領域ＡＧｐにおいて断熱部材１２０ｂ（第２の断熱部材）が第２の外装環１１８と第１群鏡筒１１２に接している。つまり、領域ＡＧｐにおける断熱のために前述の第１実施例のように空気層を設けても良いし、本実施例のように断熱部材１２０ｂを設けても良い。
【００４２】
図７に示すように第３の外装環１１７と第１群鏡筒１１２との径方向及び光軸方向の間には断熱部材１２０ｃが配置され、第３の外装環１１７は締結ビス１２１で第１群鏡筒１１２に固定されている。図５〜図７に示すように、第１群鏡筒１１２の外径側に設けられている突起部にのみ断熱部材を配置すれば、フレキシブル基板の配置や他部品の導入用の溝が必要な場合でも機能を損なわずに前述の光学性能の変化を抑制することが可能となる。
【００４３】
〔第３実施例〕
図９を用いて本発明の第３実施例としての撮像装置１０の構造について説明する。図９において１１は前述の第１実施例あるいは第２実施例として説明したレンズ装置であり、１２はレンズ装置１１からの光を受光する撮像素子であり、１３は撮像素子１２を保持するカメラ本体である。レンズ装置１１はカメラ本体１３に対して着脱可能な交換レンズであっても着脱不可能な一体式のレンズ装置であっても良い。
【００４４】
図９に示すように、本実施例によれば、次に述べる撮像装置を提供することが可能となる。すなわち、屈折率に関する温度係数が負の値である正レンズ及び屈折率に関する温度係数が正の値である負レンズを有する構成において、周囲の温度変化に対する光学性能の変化を低減することが可能なレンズ装置を用いた撮像装置を提供することが可能となる。
【００４５】
（その他の実施形態）
以上、本発明の好ましい実施形態について説明したが、本発明はこれらの実施形態に限定されず、その要旨の範囲内で種々の変形及び変更が可能である。
【００４６】
前述の第１及び第２実施例においては、複数の断熱部材を備えるレンズ装置の構成を例示したが、本発明はそのような構成に限定されるものではない。例えば、外装部材と保持部材とが互いに近付いている領域のうち、前述の領域ＡＧｐに光軸方向の位置が最も近い領域においては外装部材と保持部材との間に断熱部材を設け、それ以外の領域の少なくとも一部において断熱部材を設けなくても良い。言い換えれば、外装部材と保持部材とが互いに近付いている領域の全てにおいて断熱部材を設けなくても良い。
【００４７】
前述のようにシート状の断熱部材は薄いために保持部材に対して外装部材を所定の位置に精度良く配置することができるが、さらに位置精度を向上させるために上記の構成を採用しても良い。つまり、上記の構成によれば保持部材に対する外装部材の位置精度と断熱作用とを両立することが可能となる。なお、上記の構成においても前述の領域ＡＧｐにおいては外装部材と保持部材とを空気間隔を隔てて設けるか、外装部材と保持部材との間に断熱部材を設けることが好ましい。
【００４８】
なお、外装部材と保持部材とが互いに近付いている領域とは、外装部材及び保持部材の少なくとも一方が他方に向かって光軸直交方向に延びる突起部あるいは接続部を有している場合において、この突起部あるいは接続部が設けられている領域のことをいう。また、前述のシート状の断熱部材とは、厚みが１ｍｍ以下の断熱作用を備える断熱部材のことをいう。
【００４９】
このように、保持部材が、外装部材と接続するための接続部として第１の断熱部材と接触する第１の接続部と、第１の接続部とは異なる第２の接続部を有する。一方、外装部材は、保持部材と接続するための接続部として第１の断熱部材と接触する第３の接続部と、第３の接続部とは異なる第４の接続部を有する。そして、レンズ装置の光軸と直交する方向視において、第２の接続部と第４の接続部が第１の断熱部材を介さずに互いに接触していても良い。
【符号の説明】
【００５０】
ＯＡ  光軸
１  交換レンズ（レンズ装置）
１０１  第１レンズユニット
１０２  第２レンズユニット
１０３  第３レンズユニット
１０４  第４レンズユニット
１０５  第５レンズユニット
１０６  第６レンズユニット
１０７  絞りユニット
１０８  フォーカス操作環
１０９  防振ユニット
１１０  第一の外装環（外装部材）
１１１  マウント
１１２  第１群鏡筒（保持部材）
１１３  保護リング（外装部材）
１１４  保護ゴム
１１５  操作リング
１１６  リングホルダ
１１７  第３の外装環（外装部材）
１１８  第２の外装環（外装部材）
１２０ａ、１２０ｂ、１２０ｃ、１２０ｄ  断熱シート（断熱部材）
【図１】
2018040988.tif 000003
【図２】
2018040988.tif 000004
【図３】
2018040988.tif 000005
【図４】
2018040988.tif 000006
【図５】
2018040988.tif 000007
【図６】
2018040988.tif 000008
【図７】
2018040988.tif 000009
【図８】
2018040988.tif 000010
【図９】
2018040988.tif 000011